(57)【特許請求の範囲】
【請求項１】
コンクリートダムを構築する際に行われる所定打設ブロック毎のコンクリート打設に伴って考慮される、打設コンクリート数量、型枠面積、目地型枠面積、及び岩着処理面積について、これらを任意の施工区間や施工期間に応じて算出集計し、コンクリートダムの施工管理を統合的に行う施工管理システムであって、
ダム堤体の寸法及び形状にそった３次元コンピュータ図面である堤体図面を作成する堤体図面作成過程と、前記堤体図面から自動取得される堤体各所の寸法より、各打設ブロックについて前記打設コンクリート量、型枠面積、目地型枠面積、及び岩着処理面積を算出し、各々打設コンクリート数量表、型枠数量表、目地型枠数量表、及び岩着処理面積計算書を自動作成する数量表作成過程と、該数量表作成過程において算出された前記打設コンクリート量、型枠面積、目地型枠面積、及び岩着処理面積をその種別毎に分類整理しつつデータベースに蓄積記憶させるデータベース構築過程と、前記データベースに蓄積記憶された前記打設コンクリート量、型枠面積、目地型枠面積、及び岩着処理面積を随意に取り出して、施工区間または施工期間に応じて再集計しコンクリートダムの施工状況確認や出来高確認等を行うことで実際の施工をフィードバック管理する施工管理過程とからなることを特徴とするコンクリートダム施工管理システム。
【請求項２】
前記堤体図面について、堤体の標高を指定することで、前記打設ブロックの上面および下面の打設平面図を台形区画の集合体として示し、更に該台形区画の各辺に沿ってその寸法を、前記数量表作成過程において自動取得可能な寸法データとして表示することを特徴とする請求項１に記載のコンクリートダム施工管理システム。
【請求項３】
前記堤体図面のうち、堤体外表面に沿って作成される型枠線及び目地型枠線について、各部各線を型枠の種類に応じて色別表示し、前記数量表作成過程において自動取得可能な型枠データとして表示することを特徴とする請求項１に記載のコンクリートダム施工管理システム。
【請求項４】
前記堤体図面において、堤体外形の曲面に基づく、任意の標高における上下打設平面の高低差による型枠表面の傾斜長を、前記数量表作成過程において自動算出し型枠面積の計算を行うことを特徴とする請求項１に記載のコンクリートダム施工管理システム。
【発明の詳細な説明】
【０００１】
【発明の属する技術分野】
本発明はコンクリートダムの施工管理システムに関する。
【０００２】
【従来の技術】
山間部の谷間等を利用して構築される大規模構造物にコンクリートダムがあり、河川流路が短く、従って流下勾配も急な我が国においては、強大な耐水圧性能と耐候性を備えた係るコンクリートダムは広く建設され実用に供されている。このコンクリートダムを建設するにあたり、ダム堤体を適宜区画に分割して施工することが一般的であり、本明細書中ではこの適宜分割された区画をコンクリート打設作業と絡めて打設ブロックと称している。実際の施工の際には、該打設ブロック毎に、コンクリート数量、型枠面積、目地型枠面積、岩着処理面積等を適当な施工区間、あるいは施工期間について算出集計し、各々について数量表を作成して施工計画及び施工管理、或いは施主への出来高報告等に反映させていた。
【０００３】
従来、上記の数量表作成の作業にあたっては、堤体構築、つまりはコンクリート打設が進行するに伴って上昇するリフト標高に応じて、打設ブロックの上下面を捉えた打設平面図をいちいち作成し、その打設平面図に基づいて寸法、形状等を考慮しつつ手計算で膨大な数量計算を行って前記数量表を作成していた。
【０００４】
【発明が解決しようとする課題】
しかしながら、従来のコンクリートダム施工管理システムにあっては、上記数量表を全て手計算にて作成することとなっておりその膨大な作業に要する手間は甚だ大きく、費やされる人件費や作業時間も自ずと多大なものとなる。
【０００５】
更には、数量表を作成する時点で行われる各種計算作業についても、打設ブロック毎に、或いはコンクリート数量や型枠面積等の数量種別に別個に計算が行われることが普通であって、同施工区間、同施工期間において類似してはいるが異なる計算パターンを多数繰り返し行うことも多く、自然、人為的計算ミスいわゆるケアレスミスが頻発し正確な数量算出を期することは困難となる。また、作成された数量表自体、数量種別に独立しており、相互にリンクして即時的かつ正確なデータ参照や集計作業などを行える環境になかった。
【０００６】
そこで、本発明はこのような従来の課題に着目してなされたもので、打設平面図に基づき各種数量表を全て手計算にて作成するといった煩雑な手間が不要であり、しかも該数量表がシステム的に統合一体化されて、施工区間や施工期間等に応じて随意に自動算出及び集計等が可能であるコンクリートダム施工管理システムを提供するものである。
【０００７】
【課題を解決するための手段】
この発明は上記目的を達成するためになされたもので、ダム堤体の寸法及び形状にそった３次元コンピュータ図面である堤体図面を作成する堤体図面作成過程と、前記堤体図面から自動取得される堤体各所の寸法より、各打設ブロックについて前記打設コンクリート量、型枠面積、目地型枠面積、及び岩着処理面積を算出し、各々打設コンクリート数量表、型枠数量表、目地型枠数量表、及び岩着処理面積計算書を自動作成する数量表作成過程と、該数量表作成過程において算出された前記打設コンクリート量、型枠面積、目地型枠面積、及び岩着処理面積をその種別毎に分類整理しつつデータベースに蓄積記憶させるデータベース構築過程と、前記データベースに蓄積記憶された前記打設コンクリート量、型枠面積、目地型枠面積、及び岩着処理面積を随意に取り出して、施工区間または施工期間に応じて再集計しコンクリートダムの施工状況確認や出来高確認等を行うことで実際の施工をフィードバック管理する施工管理過程とからなることを特徴とする。
【０００８】
また、前記堤体図面について、堤体の標高を指定することで、前記打設ブロックの上面および下面の打設平面図を台形区画の集合体として示し、更に該台形区画の各辺に沿ってその寸法を、前記数量表作成過程において自動取得可能な寸法データとして表示すると好適である。
【０００９】
更に、前記堤体図面のうち、堤体外表面に沿って作成される型枠線及び目地型枠線について、各部各線を型枠の種類に応じて色別表示し、前記数量表作成過程において自動取得可能な型枠データとして表示すると良い。
【００１０】
加えて、前記堤体図面において、堤体外形の曲面に基づく、任意の標高における上下打設平面の高低差による型枠表面の傾斜長を、前記数量表作成過程において自動算出し型枠面積の計算を行うこととする。
【００１１】
【発明の実施の形態】
以下、本発明の好ましい実施の形態につき、添付図面を参照して詳細に説明する。図１は本発明のコンクリートダム施工管理システム１０を示す流れ図である。
【００１２】
本発明のコンクリートダム施工管理システム１０の初期過程である、堤体図面作成過程１１は、その図面作成の手段等については特に図示しないが、例えば、３次元描画処理が可能なＣＡＤシステムなどを用いて、施工管理対象となるダム堤体の寸法及び形状を正確な縮尺にてコンピュータ図面化処理を施すことにより堤体図面を完成させるものである。その描画手段については、まったく初期の段階からＣＡＤ入力システムのみを利用して作図を行ってもよく、或いは下図等をデジタイズ処理することで全体像を簡便に捉えることを併用していくなどの手段を用いても、図面の正確性が確保可能であれば勿論問題ない。
【００１３】
作成される堤体図面はコンピュータ上の図面ファイルとしてひとまず保存されることとなるが、例えばそのフォーマットはＤＸＦ形式とするのが好適である。この図面ファイルは、後に作成される全数量表のデータの元となる。１図面ファイルには、１打設ブロックまたは１日毎に打設した複数打設ブロックの打設平面図２０が上下面に分けられて打設平面図２０ａ、２０ｂとして入力されている（図２参照）。図中では、上下の打設平面図２０ａ、２０ｂ各々について、紙面右上方向（該図を立体的に捉えると紙面奥方向）に、堤体が周辺岩盤と接合一体化する岩着部２１が縁状に示され、それとは反対側の紙面左下方向（該図を立体的に捉えると紙面手前方向）には、隣接する打設ブロックとの境界たる目地型枠線２２が直線として描かれ、更に、その目地型枠線２２から紙面奥方向に向かって型枠線２３が複数延びて、打設平面図２０ａ、２０ｂ内を台形区画２４に区分している。なお、各々の線２２、２３には寸法線２５が付されているものとし、前記型枠線２３及び目地型枠線２２については、各部各線を型枠の種類に応じて色別表示することとする。
【００１４】
実際に打設ブロック毎に打設コンクリート体積計算を行う場合、まずは打設ブロックの上下打設平面図２０ａ、２０ｂ内を上記台形区画２４として区分してその台形区画２４毎に面積計算を行うこととなるが、この台形区画２４のことを本実施例においては計算面３０と称している。係る計算面３０に関しては、複数の台形区画２４が集合したものであっても良い。実際には該計算面３０は、コンクリート配合や打設順序など施工上の技術的必要性に応じて決定されるものである。
【００１５】
つまり本実施例の堤体図面作成過程１１において、最終的には図２に示すように、堤体図面について堤体の標高を指定することで、打設ブロックの上面および下面の打設平面図２０ａ、２０ｂを、台形区画２４の集合体として示し、更に該台形区画２４の各辺に沿ってその寸法を、後の数量表作成過程において自動取得可能な寸法データとして表示することになる。
【００１６】
以下に、各数量種別に打設平面図２０よりデータ自動取得が行われる過程を概略述べる。まず、打設コンクリート数量計算に際し必要なデータとして、図３に示す様に打設ブロックの計算面３０内における台形区画２４の各辺に記された寸法線２５がある。該寸法線２５については、型枠線２３や目地型枠線２２と違って種別はないので色分けされている必要は特にない。本発明の施工管理システム１０と連動したコンピュータシステム等が、打設平面図２０中の前記寸法線２５に自動的にソーティングなどを行うことで、各所寸法値をデータとして読み込みすることになる。これにより得られた台形区画２４の寸法データを元に実施される数量計算における計算式及び手順については、図中の計算過程３１に示す通り、通常の台形面積の公式を適用したものである。台形区画２４が例えば矩形区画となったとしても基本的手順に相違は無く、ダム堤体を施工する上で常識的範囲の区画分けがなされた多角形状であればいずれの形状の場合にも特に問題無い。
【００１７】
次に、型枠数量計算に際して行われるデータの自動取得は、打設平面図２０に示された上述の型枠線２３より型枠種類及び寸法情報等を取得することで実行され、その後、取得されたデータに基づき面積計算処理を行う。手順としては下記の▲１▼から▲３▼に示すものとなる。
【００１８】
▲１▼画層を分ける。
打設ブロックの上下打設平面図２０ａ、２０ｂで画層を分ける。
▲２▼線の色分け
型枠の種類によって型枠を表す型枠線２３の色分けをする。
▲３▼型枠面積計算
前述したように台形公式、あるいは他の多角形の面積式等により型枠面積の算出を行うが、堤体外形の曲面に基づく、打設平面図２０の上下面２０ａ、２０ｂの同一位置における型枠線２３の平面位置ずれ（図４参照）を考慮しつつ、型枠の実際の長さ（傾斜長）を計算することが必要となる。本発明においては、任意の標高における上下打設平面２０ａ、２０ｂの高低差による型枠表面の傾斜長を、図４中の式１に基づいて自動算出し型枠面積の計算を行うことが可能である。また、目地型枠数量計算についても、上述の型枠数量計算の過程と同様に行われる。
【００１９】
更に、岩着面積計算に際しては、まず、計測点５１（予め定めた岩着面５０の適宜箇所）の座標を打設平面図２０中より自動取得して計算処理を行う。なお、上下の打設平面図２０ａ、２０ｂで寸法線２５の色分けを行っておくと認識が容易となり誤認等が生じにくい。計測点５１で閉じられた領域（岩着面５０）の面積をその座標から算出するにあたっては、平面箇所については平面積の算出方法として、
計算式１：Ｘ’＝Ｘi−Ｘ1
計算式２：Ｘ’i+1−Ｘ’i-1
計算式３：Ｙ’＝Ｙi−Ｙ1
計算式４：（計算式２）×Ｙ’
の各計算式を実行し、更に、計算式４で求められた値を合計して２で割ったものが平面積Ｓとなる（図５（ａ）、（ｂ）参照）。斜面状箇所については、上記の通常の平面積の計算を行って得られた平面積Ｓに以下の手順を施すことで求める。
【００２０】
斜面積ＳＳの算出方法は以下の▲１▼〜▲５▼の通りである。
▲１▼打設平面図２０における、上下面２０ａ、２０ｂの各岩着線の長さを求める。
▲２▼打設平面図２０における、上下面２０ａ、２０ｂの岩着線の平均長（Ｌ3＝(Ｌ1+Ｌ2)／２）を求める。
▲３▼平面積（Ｓ）／平均長（Ｌ3）よりＬ4を求める。
▲４▼斜面計数を求める。（（ｃ）図中の式２参照）
▲５▼斜面積：ＳＳ＝Ｓ×ｋ
【００２１】
上記の如く、堤体図面より寸法データ等を自動取得し各種数量計算を終えた後は、作成しておいた（もしくは自動取得と同時に作成した）各数量表に各数量をダウンロードすることになる。これにより本発明における数量表作成過程１２（図１参照）が完了し、引き続き、求められた打設コンクリート量、型枠面積、及び目地型枠面積等の数量をデータベースに転送し蓄積する（図１中、データベース構築過程１３）ことで施工上の各種情報管理がなされる。蓄積された数量データは、任意の施工区間や施工期間等に応じて随意に取り出されて再集計されることとなり、その後の施工計画や施工管理、並びに出来高確認等に供されてコンクリートダムの施工を統合的に管理するのである。
【００２２】
これより、実際に本発明のコンクリートダム施工管理システム１０がソフト化された「ダム数量計算支援システム」をコンピュータ上で起動し、上述の各過程をふまえる様子を示す。本システムを起動するとメインメニュー６０が表示される。最初に、対象となる数量の種別を、「コンクリート」、「型枠」、「目地」のチェックボックス６１中から選択してチェックを付け、数量表の種類を決定する。数量表の新規作成、編集、追加、削除については、数量表の種類を選択した後、画面中の各実行ボタン６２、６３、６４、６５を押す。その他、月度集計処理、岩着部面積計算については、画面右半部分にある同名の実行ボタン６６、６７を押すことで次手順へと進む。
【００２３】
次に、図面情報の入力手順が実行される。前記打設平面図２０より寸法値データの自動取得を行うのであるが、例えば打設コンクリート数量に関しては図７に示す通り、図面情報入力ウィンドウ７０が開き、係るウィンドウ７０上部から打設日７１、打設ブロック番号７２、リフト番号７３、補助番号７４、計算ブロック数７５、リフトの高さ７６、コメント７７、標高７８等のブランクボックスが配置されている。データの自動取得を実施したい打設ブロックや、リフト番号、標高等々を指定すれば、先に作成されている堤体図面（打設平面図２０）に自動的にソーティングがかかりデータ取得が行われるのである。
【００２４】
このデータ取得の確認を行う際の取得確認ウィンドウ８０は図８に示す様に、上端の操作フォーム８１、その下方に連接するＣＡＤ図面８２、そして、操作フォーム８１及びＣＡＤ図面８２の右上端に重なる形でデータ確認フォーム８３がそれぞれ配置されたものとなっている。係るウィンドウと対応した操作としては、以下の▲１▼〜▲６▼に示す通りである。
【００２５】
▲１▼操作フォーム８１で、打設平面図２０の上下面２０ａ、２０ｂの選択、面番号の指定、コンクリート配合の指定、モルタル厚選択をそれぞれ行って、フォーム右端下部の実行ボタン８１ａを押す。
▲２▼ＣＡＤ図面８２上の寸法線２５を上辺、高さ、下辺の順に選択し、Ｅｎｔｅｒキーを押す。ただし長方形の場合、上辺と下辺の寸法は同じであるから下辺の選択は省略してもよい。
▲３▼ここでデータ確認フォーム８３が表示されるので、寸法値の正否を確認する。データを修正する場合はこのフォームで修正することが出来る。
▲４▼同じ計算面３０の寸法値を選択する場合は、再度実行ボタンを押しＣＡＤ図面８２上の寸法値を選択する。１つの計算面３０で複数の台形区画２４を選択する場合は、実行、上辺、高さ、下辺、Ｅｎｔｅｒキー、実行、上辺、高さ、下辺、Ｅｎｔｅｒキー・・・の繰り返しとなる。
▲５▼異なる計算面３０の値を取得する場合は、操作フォーム８１の設定条件を変更し、実行ボタン８１ａを押し、寸法線２５の値を再度取得する。
▲６▼実行ボタン８１ａを押す前（データ取得状態ではない）であれば、ＣＡＤを操作（画層の切り替え、視点の切り替え等）することができる。実行ボタン８１ａを押した後（データ取得中）はＣＡＤを操作することは出来ない。
【００２６】
なお、取得したデータの表示・修正を行う場合は、
▲１▼表示したい計算面番号を操作フォーム８１に入力し、データの表示・修正ボタン８１ｂを押す。
▲２▼確認フォーム８３に取得されている値が表示される。修正する場合は、データ確認フォーム８３上の修正する寸法値を選択しテキストボックス上で値を修正する。
▲３▼修正が終わったらデータ更新ボタン８３ａを押し、データを更新する。
といった手順を実行することになる。
【００２７】
全ての計算面３０のデータを取得した後、操作フォーム８１の「データシートへ出力」ボタン８１ｃを押す。取得したデータをデータシートへと出力する。以下が出力したデータシートの一例である。
【００２８】
【表１】
0003740904.tif 000002
【００２９】
次に上記のデータシート中のデータをデータベースへ転送し蓄積することになる。データベースへと転送されるデータは、データシート中の、下面集計（データベース上はグリーンカット面積）の合計、体積の合計及び各コンクリート配合の合計が主に選択される。日付やブロック番号および各計算面の合計はこの表からは転送されない。データベースに転送される日付、ブロック番号は先の「図面情報の入力手順」で入力した値が転送される。この合計値が、後の集計処理の基本データとなるのである。このデータベースのデータ内容表示の一例を図９に示す。
【００３０】
また、上述の打設コンクリート量についての数量計算と同様に、型枠数量計算も行うとすれば、まず図面情報の入力手順が実行される。図１０は、型枠数量計算についての図面情報入力ウィンドウ１００である。ここでは、型枠線２３の色、打設ブロック名などを主に入力しておく。「計算するブロック数」欄１０１に入力した数だけ、画層名の一致フォーム１１０（図１１参照）が表示される。例えば、「計算するブロック数」欄１０１に「２」を入力した場合、該フォーム１１０は２回表示され、それぞれにプルダウンメニュー１１１の中から型枠の形式を選択するなどして必要なデータを入力することとなる。型枠線２３の色番号の入力方法は、まず入力したい「型枠の種類」欄１０２をピックアップし、その後色番号入力ボックス１０３から線色を入力する。
【００３１】
型枠数量計算の結果得られたデータシートは、４シートの構成となり、
シート１：打設平面図上面２０ａの型枠線２３の座標値、線の長さ、色及び画層名
シート２：同下面２０ｂの型枠線２３の座標値、線の長さ、色及び画層名
シート３：上面２０ａ、下面２０ｂの線のずれより高さを計算
シート４：計算結果
の内容となっている。表２にシート４の計算結果表を示す。
【００３２】
【表２】
0003740904.tif 000003
【００３３】
次に上記のデータシート中のデータをデータベースへ転送し蓄積することになる。データベースへと転送されるデータは、打設ブロック番号と各打設ブロック毎の各型枠面積の小計となる。日付やブロック番号および各計算面３０の合計はこの表からは転送されない。このデータベースのデータ内容表示１２０の一例を図１２に示す。その他、目地型枠数量計算、岩着部面積計算等も上記と同様に行われるとする。
【００３４】
前記データベースに上述の如く蓄積記憶された各種数量を随意に取り出して、施工区間、施工期間等に応じて再集計しコンクリートダムの施工状況確認や出来高確認等を行うところの、集計処理作業１４（施工管理過程として）をデータベス構築過程１３に続いて行う。本実施例では、例えば、データベースに記憶されている各数量表毎または全ての数量表の集計を期間毎またはブロック毎に行う。
【００３５】
図１３に本発明の施工管理過程１４における期間集計時に開かれる集計項目入力ウィンドウ１３０の一例を示す。該ウィンドウ１３０は、上端に集計項目として、コンクリート、型枠、目地、全部のそれぞれについてチェックボックス１３１を備え、その下方には集計期間の指定欄１３２とブロック番号欄１３３が配置されたものである。各数量表または全ての数量表の集計を、該ウィンドウ１３０にて入力された期間について実行することとなる。この結果集計された集計結果を集計結果表として表３として示す。表で分かる通り、左端列に打設日を順を追って示し、それに対応したブロック番号及び標高、そして順次右方列に堤体各部に対応した数量が記されて期間中の数量が明白となっている。
【００３６】
【表３】
0003740904.tif 000004
【００３８】
従って、本発明のコンクリートダム施工管理システム１０によれば、任意の施工期間や施工区間等について多種に亘る数量集計を自動的に行うことが可能であり、更には、従来膨大な数量計算作業を伴っていた施工管理作業を大幅に低減及び簡便化させることができ、コンクリートダム施工効率の改善に著しい効果を発現するのである。
【００３９】
【発明の効果】
以上詳細に説明したように、本発明のコンクリートダム施工管理システムは、コンクリートダムを構築する際に行われる所定打設ブロック毎のコンクリート打設に伴って考慮される、打設コンクリート数量、型枠面積、目地型枠面積、及び岩着処理面積について、これらを任意の施工区間や施工期間に応じて算出集計し、コンクリートダムの施工管理を統合的に行う施工管理システムであって、
ダム堤体の寸法及び形状にそった３次元コンピュータ図面である堤体図面を作成する堤体図面作成過程と、前記堤体図面から自動取得される堤体各所の寸法より、各打設ブロックについて前記打設コンクリート量、型枠面積、目地型枠面積、及び岩着処理面積を算出し、各々打設コンクリート数量表、型枠数量表、目地型枠数量表、及び岩着処理面積計算書を自動作成する数量表作成過程と、該数量表作成過程において算出された前記打設コンクリート量、型枠面積、目地型枠面積、及び岩着処理面積をその種別毎に分類整理しつつデータベースに蓄積記憶させるデータベース構築過程と、前記データベースに蓄積記憶された前記打設コンクリート量、型枠面積、目地型枠面積、及び岩着処理面積を随意に取り出して、施工区間または施工期間に応じて再集計しコンクリートダムの施工状況確認や出来高確認等を行うことで実際の施工をフィードバック管理する施工管理過程とからなることを特徴とするものである。
【００４０】
したがって本発明によれば、３次元コンピュータ図面にリフト標高を指定するだけで打設平面図も自動作成され、しかもその図面に基づき打設コンクリート数量表、型枠数量表、目地型枠数量表、及び岩着処理面積計算書の各数量表を全て自動計算にて作成することが可能であり、更には該数量表がシステム的に統合一体化されて、施工区間や施工期間等に応じて随意に自動算出及び集計等を行うことも出来るのである。これによりコンクリートダムの施工管理を正確かつ確実に行うことができ、ひいては施工効率や施工コストの改善にも資するものである。
【００４１】
また、前記堤体図面について、堤体の標高を指定することで、前記打設ブロックの上面および下面の打設平面図を台形区画の集合体として示し、更に該台形区画の各辺に沿ってその寸法が、前記数量表作成過程において自動取得可能な寸法データとして表示されることとなれば、数量表自動作成時においても、状況に応じて人がデータ確認を行うこともでき、数量表作業効率の向上と共に、作業の確実性を更に高めることが出来る。
【００４２】
更に、前記堤体図面のうち、堤体外表面に沿って作成される型枠線及び目地型枠線について、各部各線を型枠の種類に応じて色別表示し、前記数量表作成過程において自動取得可能な型枠データとして表示すれば、図中における型枠の識別効率が高まり、作業の迅速性及び確実性も向上する。
【００４３】
加えて、前記堤体図面において、堤体外形の曲面に基づく、任意の標高における上下打設平面の高低差による型枠表面の傾斜長を、前記数量表作成過程において自動算出し型枠面積の計算を行うことになれば、ダム堤体形状の、例えばアーチ形等に対しても正確な数量計算を行うことができる。
【図面の簡単な説明】
【図１】本発明の本発明のコンクリートダム施工管理システムを示す流れ図である。
【図２】本発明の堤体図面作成過程において作成された打設平面図を示す。
【図３】打設ブロックの計算面内を台形区画に区分した例を示す示す説明図である。
【図４】堤体外形の曲面に基づく、打設平面図の上下面の同一位置における型枠線の平面位置ずれを示し、更にそれを考慮しつつ型枠の実際の長さ（傾斜長）を計算する様子を示す説明図である。
【図５】（ａ）、（ｂ）、（ｃ）は、本発明の数量表作成過程において行われる岩着面積計算に際し、計測点で閉じられた領域（岩着面）の面積をその座標から算出する様子を示す説明図である。
【図６】本発明のコンクリートダム施工管理システムがソフト化された「ダム数量計算支援システム」をコンピュータ上で起動した際に表示されるメインメニュー画面を示す説明図である。
【図７】ダム数量計算支援システムにおける図面情報入力ウィンドウを示す説明図である。
【図８】ダム数量計算支援システムにおけるデータ取得確認を行う取得確認ウィンドウを示す説明図である。
【図９】ダム数量計算支援システムにおいて打設コンクリート数量計算を行った際の、データベースのデータ内容表示の一例を示す説明図である。
【図１０】ダム数量計算支援システムにおいて型枠数量計算についての図面情報入力ウィンドウを示す説明図である。
【図１１】ダム数量計算支援システムにおいて型枠数量計算について画層名の一致フォームを示す説明図である。
【図１２】ダム数量計算支援システムにおいて型枠数量計算を行った際の、データベースのデータ内容表示の一例を示す説明図である。
【図１３】本発明の施工管理過程における期間集計時に開かれる集計項目入力ウィンドウの一例を示す説明図である。
【符号の説明】
１１  堤体図面作成過程
１２  数量表作成過程
１３  データベース構築過程
１４  施工管理過程
【図１】
0003740904.tif 000005
【図２】
0003740904.tif 000006
【図３】
0003740904.tif 000007
【図４】
0003740904.tif 000008
【図５】
0003740904.tif 000009
【図６】
0003740904.tif 000010
【図７】
0003740904.tif 000011
【図８】
0003740904.tif 000012
【図９】
0003740904.tif 000013
【図１０】
0003740904.tif 000014
【図１１】
0003740904.tif 000015
【図１２】
0003740904.tif 000016
【図１３】
0003740904.tif 000017